(57)【特許請求の範囲】
【請求項１】
間隔をおいて第１及び第２の主壁が位置し、第１及び第２の主壁の一方の端部間を端壁が閉じ、第１及び第２の主壁の他方の端部が開口とされ、この開口と前記端壁との間が閉じられた箱であって、その内部に、２つのループを有する８の字状に巻かれ、その８の字の交差部分で前記２つのループが重なるように折り返された糸を、前記交差部分が前記端壁側に位置するように収容される箱と、
前記箱内において前記折り返された糸の２つのループ間に位置する仕切板を有し、この仕切板は、前記交差部分に接触する接触辺を備え、第１の主壁の内面に接触し、前記端壁側から前記開口側に前記糸と無関係に摺動可能に前記仕切板に結合された摺動板を有する糸移動防止具とを、
備える糸収容体。
【請求項２】
請求項１記載の糸収容体において、前記糸は糸巻きに８の字に巻かれ、この糸巻きは、前記摺動板に面接触した平板を有し、この平板の側方で前記仕切板に前記摺動板が結合されている糸収容体。
【請求項３】
請求項１または２記載の糸収容体において、前記摺動板は、前記開口から外部に突出した手動操作部を有する糸収容体。
【請求項４】
請求項３記載の糸収容体において、前記手動操作部は、前記糸の前記開口から引き出された端を固定する固定部を有する糸収容体。
【請求項５】
請求項１または２記載の糸収容体において、前記開口に蓋が設けられ、前記蓋の一端は、前記第２の主壁に揺動可能に結合され、前記蓋の他端は、前記摺動板に結合されている糸収容体。
【発明の詳細な説明】
【技術分野】
【０００１】
本発明は、糸収容体に関し、特に８の字に巻いた糸の収容体に関する。
【背景技術】
【０００２】
８の字に巻いた糸の収容体に関する技術としては、例えば特許文献１に開示されたものがある。この技術では、糸巻きに８の字に糸を巻き、８の字の糸のループが重なるようにこの糸巻きを折り畳み、長方形状の箱に収容している。
【先行技術文献】
【特許文献】
【０００３】
【特許文献１】日本特許第３８９９１１７号
【発明の開示】
【発明が解決しようとする課題】
【０００４】
このように箱に糸を収容した状態で、箱が搬送されるが、その搬送中に折りたたまれた糸が箱の中で移動することがある。そのままの状態で、箱から糸を引き出そうとしたとき、ループに糸が引っかかりやすくなり、円滑に糸を引き出せない。また、商品としての見栄えも悪くなる。【０００５】
本発明は、８の字に折り畳まれた糸が箱の内部で移動することを防止した糸収容体を提供することを目的とする。
【課題を解決するための手段】
【０００６】
本発明の一態様の糸収容体は、箱を有している。この箱では、間隔をおいて第１及び第２の主壁が位置し、第１及び第２の主壁の一方の端部間を端壁が閉じ、第１及び第２の主壁の他方の端部が開口とされ、この開口と前記端壁との間が閉じられている。箱としては、例えば直方体状のものを使用できる。箱の内部に糸が収容される。糸は、２つのループを有する８の字状に巻かれ、その８の字の交差部分で前記２つのループが重なるように折り返されている。この糸の交差部分が前記端壁側に位置するように糸が箱の中に収容されている。糸は、複数回にわたって８の字に巻かれている。箱内に糸移動防止具が収容される。糸防止具は、箱内において前記折り返された糸の２つのループ間に位置する仕切板を有している。この仕切板は、１つだけ設けることもできるし、複数設けることもできる。この仕切板は、前記交差部分に接触する接触辺を備えている。糸移動防止具は、さらに摺動板を有し、この摺動板は、第１の主壁の内面に接触し、例えば面接触し、前記端壁側から前記開口側に、糸と無関係に摺動可能に、前記仕切板に結合されている。【０００７】
このように構成された糸収容体を運搬する場合、仕切板の接触辺を糸の交差部分に接触させる。このとき、摺動板が第１の主壁と接触しているので、両者の間に摩擦力が働き、糸収容体に振動が加わっても、仕切板の位置は変化せず、糸が移動することを防止できる。このままの状態で、箱から糸を引き出そうとすると、接触辺が糸の交差部分に接触しているので、円滑に糸を引き出しにくいが、摺動板を開口側に摺動させることによって、接触辺が糸の交差部分から離れる。従って、糸を円滑に引き出すことができる。【０００８】
前記糸は糸巻きに８の字に巻くことができる。この場合、糸巻きは、前記摺動板に面接触した平板を有し、この平板の側方で前記仕切板に前記摺動板が結合されている。このように構成すると、摺動板は、直接に糸とは接触していないので、摺動板を開口側に摺動させる際に、糸が共に開口側に移動することを防止できる。【０００９】
前記摺動板は、前記開口から外部に突出した手動操作部を有するものとすることができる。このように構成すると、仕切板の接触辺の糸の交差部分への接触を容易に解除することができる。【００１０】
さらに、前記手動操作部は、前記糸の前記開口から引き出された端を固定する固定部を有するものとすることができる。このように構成すると、引き出した糸を固定部に固定することができる。固定部は、箱の内部に収容される糸の太さに応じた異なるものを複数個設けることが望ましい。【００１１】
前記開口に蓋を設けることができる。この場合、前記蓋の一端は、前記第２の主壁に揺動可能に結合され、前記蓋の他端は、前記摺動板に結合される。このように構成すると、蓋を揺動させることによって、摺動板を摺動させることができる。
【図面の簡単な説明】
【００１２】
【図１】本発明の第１の実施形態の糸収容体の横断平面図である。
【図２】図１の糸収容体の拡大縦断側面図である
【図３】図１の糸収容体で使用する箱の平面図である。
【図４】図３の箱の縦断側面図である。
【図５】図１の糸収容体で使用する糸巻きを展開した状態の平面図である。
【図６】図５の糸巻きを展開した状態の縦断側面図である。
【図７】図１の糸収容体で使用する糸移動防止具の平面図である。
【図８】図７の糸移動防止具の縦断側面図である。
【図９】本発明の第２の実施形態の糸収容体の平面図である。
【図１０】本発明の第３の実施形態の糸収容体の拡大縦断側面図である。
【発明を実施するための最良の形態】
【００１３】
本発明の第１の実施形態の糸収容体は、図１及び図２に示すように、箱２と糸移動防止具４とを有している。【００１４】
箱２は、例えば直方体状に形成され、図３及び図４に示すように、間隔をおいて互いに平行に配置した第１及び第２の主壁６、８を有している。第１及び第２の主壁６、８は、同一形状の例えば長方形状に形成されている。第１及び第２の主壁６、８の一方の端部は、例えば長方形状の端壁１０によって閉じられている。第１及び第２の主壁６、８の他方の端部は、開放されて開口１２とされている。第１及び第２の主壁６、８の両長手縁間は、例えば長方形状の側壁１４、１６によって閉じられている。【００１５】
この箱２内に、糸、例えば釣り糸１８が収容されている。この釣り糸１８は、図５及び図６に展開して示す糸巻き２０に巻かれている。糸巻き２０では、同一の長方形状の平板２２、２４が、それらの長手縁が一直線状になるように間隔をあけて配置され、その間隔内に平板２２、２４を連結する直方体状の連結部２６が設けられている。平板２２、２４の一方の面には、この一方の面から離れるように突出している支柱２８、３０が、設けられている。これら支柱２８、３０は、概略円柱状である。これら支柱２８、３０の先端にそれぞれ一方の面が接触するように舌片部３２、３４が配置されている。これらの一方の面に設けた中空の筒部３６、３８が支柱２８、３０に嵌められることによって、舌片部３２、３４は、平板２２、２４に結合されている。舌片部３２、３４は、それらの先端部が、平板２２、２４の連結部２６と反対側の端部側に向かって凸に湾曲しており、ほぼ同一の幅寸法で連結部２６側に向かって直線状に伸びている。この幅寸法は、平板２２、２４の幅寸法よりも幾分短い。その直線状部の端から徐々に幅寸法が短くなって中央に向かい、連結部２６上で最も幅寸法が短くなっている。この最も幅寸法の短い部分で連結部２６に固定されている。【００１６】
舌片３２、３４と平板２２、２４との間において、図５に鎖線で示すように釣り糸１８が支柱２８、３０間に８の字に巻かれている。釣り糸１８の一端は連結部２６の近傍で固定されており、釣り糸１８は、他端から解かれる。なお、図５では、図が錯綜するので、釣り糸１８は、それぞれのループが一重であるように描いてある。しかし、実際にはいずれのループも複数回にわたって巻かれている。図１及び図２では、複数回に巻かれた糸の一番内側のループと一番外側のループのみを示してある。【００１７】
図２に示すように、平板２２に平板２４が重なるように、即ち釣り糸１８の８の字のループが重なるように平板２４が折り曲げられる。この折り曲げた状態で糸巻き２０が箱２内に収容される。この収容状態では連結部２６が端壁１０に接触している。従って、釣り糸１８の２つのループの交差部分が端壁１０、連結部２６の近傍に位置する。なお、平板２２の連結部２６と反対側の端部には、開口１２を閉じるための蓋部４０が連結され、蓋部２０には、糸引き出し孔４２が形成されている。釣り糸１８の他端が、舌片部３２、３４の間を通って、この引き出し孔４２に挿通される。釣り糸１８の他端を引くことによって、釣り糸１８が解かれて、糸引き出し孔４２から引き出される。【００１８】
糸移動防止具４を設けないで、糸巻き２０を箱２内に収容して運搬され、その運搬の際に箱２が衝撃を受けると、８の字に巻かれた釣り糸１８全体が開口１２側に移動することがある。この移動を防止するために、糸移動防止具４が設けられている。糸移動防止具４は、図７、図８に示すように、摺動板４４を有している。摺動板４４は、箱２の第１の主壁６とほぼ同じ幅寸法及び長さ寸法を有する長方形状のもので、図１に示すように、箱２内に挿入されて、第１の主壁６と糸巻き２０の平板２２との間に位置し、両者と面接触している。この摺動板４４の一方の端部は箱２の端壁１０、連結部２６に接触している。この摺動板４４の他方の端部は、箱２の開口１２から箱２の外部に突出するように延長形成され、操作部４６とされている。この操作部４６を人が握って外方に引くことによって、摺動板４４は、箱２の端壁１０側から開口１２側に移動する。また、この移動した状態において、操作部４６を人が握って箱２の内部側に押し込むと、摺動板４４は開口１２側から端壁１０側に摺動する。【００１９】
この摺動板４４の長手縁における連結部２６に近い位置に、摺動板４４に対して直角に側壁４８、５０が形成されている。側壁４８、５０の先端が、折りたたまれた舌片部３２、３４のほぼ中間に位置するように側壁４８、５０の高さ寸法が設定されている。これら側壁４８、５０の先端に仕切板５２、５４が一体に形成され、摺動板４４の上方に、即ち、舌片部３２、３４の間に突出している。仕切板５２、５４は、箱２の端壁１０側に、釣り糸１８の交差部分に接触する接触辺５６、５８を有している。接触辺５６、５８は、側壁４８、５０に対して９０度よりも幾分小さい角度をなすように傾斜して形成されている。これら接触辺５６、５８が釣り糸１８の２つのループの交差部分を連結部２６側に押しつけているので、この糸収容体を運搬する際に糸収容体に衝撃が加わっても、釣り糸１８が開口１２側に移動することを阻止することができる。【００２０】
特に、摺動板４４が、第１の主壁６と平板２２とに面接触しているので、振動板４４と第１の主壁６及び平板２２との間で発生する摩擦力によって、振動板４４の移動が阻止され、仕切板５２、５４による釣り糸１８の交差部の押しつけが外れることがない。【００２１】
この糸収容体から釣り糸１８を引き出す場合、糸引き出し孔４２から釣り糸１８の他端を引くと、糸巻き２０から釣り糸１８が解けて糸引き出し孔４２から糸が引き出される。この引き出しの原理は、特許文献１に開示されているので、詳細な説明は省略する。接触辺５６、５８が傾斜しているので、釣り糸１８の交差部を連結部２６側に強固に押しつけていない。その結果、幾分強く釣り糸１８を引くことにより、釣り糸１８を解くことができる。【００２２】
但し、強く糸２８を引かずに釣り糸１８を引き出した場合には、操作部４６を開口１２の外方側に引くことによって摺動板４４が開口１２側に移動し、接触辺５６、５８の釣り糸１８の交差部との接触状態が変化する。従って、操作部４６の引き出し量を調整することによって、この糸収容体の使用者の好みの力で糸を引き出すことができる。【００２３】
本発明の第２の実施形態の糸収容体を図９に示す。第２の実施形態の糸収容体は、操作部４６ａに引き出した糸の端部を固定する固定部、例えば糸止め部として溝６０を形成したものである。他の構成は、第１の実施形態の糸収容体と同一であるので、詳細な説明は省略する。【００２４】
これら溝６０は、操作部４６ａの両長手縁それぞれに間隔をおいて複数設けられており、それぞれの幅及び深さが異なったものである。これは、１種類の糸収容体を作成しながら、それに収容される釣り糸の太さが異なるものとした場合に、その太さに応じた溝６０を糸止めとして使用できるようにするためである。【００２５】
本発明の第３の実施形態の糸収容体を図１０に示す。第１の実施形態の糸収容体では、摺動板４４は操作部４６を操作することによって摺動させていたが、第３の実施形態の糸収容体では、箱２に設けた蓋部６２の開閉によって摺動板４４を摺動させるように構成している。他の構成は、第１の実施形態の糸収容体と同一であるので、詳細な説明は省略する。【００２６】
第３の実施形態の糸収容体では、蓋部６２は、開口１２を開閉可能な長方形状に形成され、その一端が第２の主壁８の開口１２側の端部に結合され、矢印で示すように揺動可能に形成されている。この蓋部６２における他方の端部が、摺動板４４の開口１２側の端部に連結されている。従って、蓋部６２が開口１２を閉じている状態では、第１の実施形態と同様に仕切板５２、５４の接触辺５６、５８が釣り糸１８の２つのループの交差部を連結部２６側に押しつけて、釣り糸１８の移動を防止している。この状態において、開口１２を開くように蓋部６２を回転させると、摺動板４４が開口１２側に摺動し、仕切板５２、５４の接触辺５６、５８の釣り糸１８の交差部への接触状態が変化する。従って、蓋部６２の回転角度を適切に調整することによって、仕切板５２、５４の接触辺５６、５８の釣り糸１８の交差部への接触状態を適切に調整することができる。【００２７】
上記の各実施形態の糸収容体では、仕切板５２、５４は、摺動板４４の両長手縁側の側壁４８、５０にそれぞれ設けたが、いずれか一方の側壁側からのみに設けることもできる。この場合、仕切板５２は、摺動板４４をその幅方向に横断するように設けることもできる。上記の各実施形態では、仕切板５２、５４の接触辺５６、５８は、側壁４８、５０に対して鋭角をなすように設けたが、直角をなすように設けることもできる。上記の各実施形態では、糸巻き２０に釣り糸１８を巻いて箱２内に収容したが、糸巻き２０に巻かずに釣り糸１８を８の字に巻いて、その８の字に巻いた釣り糸１８の２つのループが重なるように折りたたみ、そのルールの交差部分が端壁１０側に位置するように箱２内に収容することもできる。このような場合、摺動板４４の中心付近に、支柱を立て、この支柱に仕切板５２、５４を取り付けることもできる。
【図１】
0005411991.tif 000002
【図２】
0005411991.tif 000003
【図３】
0005411991.tif 000004
【図４】
0005411991.tif 000005
【図５】
0005411991.tif 000006
【図６】
0005411991.tif 000007
【図７】
0005411991.tif 000008
【図８】
0005411991.tif 000009
【図９】
0005411991.tif 000010
【図１０】
0005411991.tif 000011